(57)【要約】【課題】    釣り針に取り付けた釣りエサを目的魚が食すまでエサ取りが釣りエサを食したりつつくことを防止又は減少させ、目的魚を効果的に釣り上げることを可能ならしめる釣りエサ用容器を提供する。【解決手段】釣り針に取り付けられた釣りエサの少なくとも一部を内部空間に収容する保護容器であって、該内部空間と外部空間と仕切る壁部と、該釣り針を支持する釣り糸を貫通させる壁部に形成された糸貫通孔と、を備えてなり、該壁部は、釣り上げることを意図する目的魚が破壊可能である、釣りエサ用容器である。【選択図】  図７
2008154543.tif 000002
【特許請求の範囲】
【請求項１】
釣り針に取り付けられた釣りエサの少なくとも一部を内部空間に収容する保護容器であって、
該内部空間と外部空間と仕切る壁部と、
該釣り針を支持する釣り糸を貫通させる壁部に形成された糸貫通孔と、
を備えてなり、
該壁部は、釣り上げることを意図する目的魚が破壊可能である、
釣りエサ用容器。
【請求項２】
前記壁部が、水分と接触し所定時間が経過後に膨潤、溶解及び崩壊のいずれかを生じる材料により形成されるものである、請求項１に記載の釣りエサ用容器。
【請求項３】
前記材料が、セルロース又はデンプンの少なくとも一方を含むものである、請求項２に記載の釣りエサ用容器。
【請求項４】
前記材料が前記目的魚が好む成分を含むものである、請求項２又は３に記載の釣りエサ用容器。
【請求項５】
前記内部空間と外部空間とを連通させる壁部に形成された連通孔を、さらに備えてなるものである、請求項１乃至４のいずれか１に記載の釣りエサ用容器。
【請求項６】
前記糸貫通孔を貫通した釣り糸により吊り下げられた場合、前記内部空間を水平方向に分割する平面である分割面に対し上方に位置する上方連通孔と、該分割面に対し下方に位置する下方連通孔と、を前記連通孔が有してなる、請求項５に記載の釣りエサ用容器。
【請求項７】
前記糸貫通孔を貫通した釣り糸により吊り下げられた場合、前記糸貫通孔を通過する鉛直平面により分割される２の空間それぞれに連通孔が形成されるものである、請求項５又は６に記載の釣りエサ用容器。
【請求項８】
前記壁部が、分割された少なくとも２の部分を有してなるものである、請求項１乃至７のいずれか１に記載の釣りエサ用容器。
【請求項９】
前記分割された少なくとも２の部分が前記壁部を形成するよう互いに固定する固定手段が係合する固定手段係合手段を、さらに備えてなるものである、請求項８に記載の釣りエサ用容器。
【請求項１０】
前記固定手段が、前記分割された少なくとも２の部分を縛着する線材を含んでなり、
前記固定手段係合手段が、前記分割された少なくとも２の部分のうち少なくとも一に形成され、該線材が該線材の長手方向に対して垂直方向に移動することを制限する移動制限手段を含んでなるものである、請求項９に記載の釣りエサ用容器。
【請求項１１】
前記移動制限手段が、前記垂直方向に前記線材が移動する際、前記垂直方向から前記線材に当接する凹部又は凸部である、請求項１０に記載の釣りエサ用容器。
【発明の詳細な説明】
【技術分野】
【０００１】
本発明は、釣り針に取り付けられた釣りエサの少なくとも一部を内部空間に収容する保護容器である釣りエサ用容器に関し、より詳細には、釣り針に取り付けられた釣りエサを水中（例えば、海、湖、池又は川の中）に投げ入れた際、釣り上げることを意図しない魚（所謂、「エサ取り」。以後、エサ取りと言うこともある。）が該釣りエサをつついたり食べたりすることにより、釣り上げることを意図する目的魚を釣り上げることが妨害されることを防止又は減少させることができる釣りエサ用容器に関する。
【背景技術】
【０００２】
釣りエサを取り付けた釣り針を水中に投入し、水中にいる魚を釣り上げる魚釣り（単に、「釣り」ということもある。）は、余暇の楽しみ（レジャー）としてや漁業として幅広く行われている。
かかる魚釣りにおいては、魚種や大きさ等により釣り上げることを意図する目的魚（例えば、体長３０ｃｍ以上の鯛）をできる限り多く釣り上げたいと欲することがあり、そのためには釣り針に取り付けた釣りエサを目的魚にいかに食べさせるかが問題となる。
一方、目的魚がいる水中には、通常、釣り上げることを意図しない魚（エサ取り）もいるので、釣り針に取り付けた釣りエサをエサ取りが食したりつつくことにより、釣り針に取り付けた釣りエサが食べられなくなったり脱落することが生じ得る。このように釣り針に取り付けた釣りエサをエサ取りが食すこと等により釣りエサがなくなってしまうと、目的魚が食すべき釣りエサが釣り針に着いていないので目的魚を釣り上げることはできない（このような釣りエサが釣り針に着いていない状態では目的魚が釣れる可能性はないので時間が無駄である。）。加えて、エサ取りが釣りエサを食べることで釣り針に係り、釣り上げられることもあるが、かかる場合、エサ取りを釣り針から取り外し、そして釣り針に新しい釣りエサを付け、再度、水中に投入する必要があるためやはり時間を無駄にすることになる。
このように釣り針に取り付けた釣りエサをエサ取りが食したりつつくことにより、目的魚を釣り上げることが妨害されることを防止又は減少させるための提案が種々なされてきた（例えば、特許文献１参照）。
【０００３】
特許文献１は、「タナに到達する前に餌取り魚に食わせ餌を取られたり、餌取り魚の釣り上げを回避すると共に、釣針が引っかかることなく確実に撒き餌と食わせ餌を付けた釣針を外部に放出できる魚釣用の撒き餌具を提供する。」（特許文献１中、要約中の課題）ためになされた発明を開示しており、具体的には、「上部に水は通過するが沈降中に撒き餌が通過しない通水部を有すると共に底部に撒き餌および釣針の通過できる開口部を有する筒状の本体と、該本体の上部に設けられた接続部を備え、前記本体に錘作用を持たせたことを特徴とする釣魚用撒き餌具。」（特許文献１中、請求項１）であり、それによって「かかる撒き餌具は、本体上部の接続部を道糸または天秤などの接続具に接続し、開口部から本体内部に撒き餌および食わせ餌を付けた釣針を収容することができる。その際、通水部が内部の空気や液体の通路となるので撒き餌が容易に且つスムースに充填できる。また、撒き餌具を水中に沈降させて目的とする魚種の回遊するタナまで到達させる途中においては、本体の錘作用および道糸の上向きの張力により本体は開口部を下側にして沈降する。そして内部に収容された撒き餌は下方からの水圧で内部に安定して保持され、さらに通水部から撒き餌が外部に散逸することもない。また食わせ餌を付けた釣針は本体内に収容されているので、食わせ餌を餌取り魚に食われたり、餌取り魚が釣れたりすることがない。そしてタナに到達した後は、道糸を僅かに上方へ引くことにより、あるいは通水部を通した水圧や水の流通により静止状態において、釣針などが本体に引っかかることなく、撒き餌および食わせ餌を付けた釣針を外部へ確実且つ円滑に放出することができる。」（特許文献１中、発明の詳細な説明の段落番号０００９及び００１０、）という発明が特許文献１には開示されている。
【０００４】
【特許文献１】特開２０００−９３０５９号公報（例えば、発明の詳細な説明の段落番号０００２〜００１０、００２７及び００２８、第１図、要約等）
【発明の開示】
【発明が解決しようとする課題】
【０００５】
確かに、特許文献１に開示された釣魚用撒き餌具によれば、「撒き餌具を水中に沈降させて目的とする魚種が回遊するタナまで到達させる際には、本体の錘作用および道糸の上向きの張力により本体は開口部を下側に沈降するが、内部に収容された撒き餌は下方からの水圧で内部に保持され、さらに通水部から外部への撒き餌の散逸もない。また、食わせ餌を付けた釣針は撒き餌と共に本体内に収容されるので、タナに達するまでに食わせ餌を餌取り魚に食われたり、餌取り魚が釣れたりすることもない。そしてタナに到達した後は、道糸を僅かに上方へ引くことにより、あるいは通水部を通した水圧や水の流通により静止状態において、釣針などが本体に引っかかることなく、撒き餌および食わせ餌を付けた釣針を外部へ確実且つ円滑に放出することができる。」（特許文献１中、発明の詳細な説明の段落番号００２７後段部分及び００２８）が、目的魚が回遊するタナに到達した後は食わせ餌を付けた釣針は外部に放出されるので、その後は、釣り針に取り付けた釣りエサをエサ取りが食したりつつく可能性があり、それによってやはり目的魚を釣り上げることが妨害される可能性がある。
【０００６】
そこで、本発明においては、釣り針に取り付けた釣りエサを目的魚が食すまでエサ取りが該釣りエサを食したりつつくことを防止又は減少させることにより、目的魚を効果的に釣り上げることを可能ならしめる釣りエサ用容器を提供することを目的とする。
【課題を解決するための手段】
【０００７】
本発明の釣りエサ用容器（以下、「本容器」という。）は、釣り針に取り付けられた釣りエサの少なくとも一部を内部空間に収容する保護容器であって、該内部空間と外部空間と仕切る壁部と、該釣り針を支持する釣り糸を貫通させる壁部に形成された糸貫通孔と、を備えてなり、該壁部は、釣り上げることを意図する目的魚が破壊可能である、釣りエサ用容器である。
本容器は、釣り針に取り付けられた釣りエサの少なくとも一部を内部空間に収容する保護容器であり、釣り針が取り付けられた釣り糸を壁部の糸貫通孔に貫通させ、壁部が外部空間と仕切る内部空間に釣りエサの少なくとも一部（無論、釣りエサの全部であってもよい。）を収容する（即ち、釣り針に取り付けられた釣りエサの少なくとも一部が該内部空間に収容され、該釣り針が取り付けられた釣り糸は壁部の糸貫通孔から該外部空間へ突出する。）。そして、釣りエサの少なくとも一部を収容した該内部空間を該外部空間と仕切る壁部は、釣り上げることを意図する目的魚が破壊可能に形成されるので、目的魚は壁部を破壊することで少なくとも一部が該内部空間に収容された釣りエサを食すことができるが、目的魚よりも口の大きさ（最大に開いたときの縦の長さにより比較する）が小さい魚（エサ取り）は壁部を破壊することが困難（不可能又は可能性を低める）である。このため本容器を用いれば、釣り針に取り付けた釣りエサを目的魚が食すまで、目的魚よりも口が小さいエサ取りが釣りエサを食したりつつくことを防止又は減少させることができ、目的魚を効果的に釣り上げることを可能ならしめるものである。
なお、ここにいう「壁部は、釣り上げることを意図する目的魚が破壊可能」とは、壁部の少なくとも一部が目的魚の口に入り、目的魚が口の力で壁部の少なくとも一部をかみ砕き破壊することが可能であると共に、目的魚よりも口の大きさ（最大に開いたときの縦の長さにより比較する）が小さい魚（釣り上げることを意図しないエサ取り）が壁部の少なくとも一部を口に入れることができないことをいう。
【０００８】
壁部は、壁部の少なくとも一部が目的魚の口に入り、目的魚が口の力で壁部の少なくとも一部をかみ砕き破壊することが可能であれば足り、壁部の材質は何ら限定されるものではなく種々の材料によって形成されることができ、一例としては、樹脂材料（天然樹脂と合成樹脂との両方を含む。）、無機材料（例えば、陶器や磁器等）、材木等を含む材料を例示することができる。
また、前記壁部が、水分と接触し所定時間が経過後に膨潤、溶解及び崩壊のいずれかを生じる材料により形成されるもの（以下、「水変化材質本容器」という。）であってもよい。水分と接触し所定時間が経過後に膨潤、溶解及び崩壊のいずれかを生じる材料によって壁部が形成されれば、目的魚が興味をもって本容器をつつく等している間にも目的魚が本容器の少なくとも一部を口に入れ口（あご）の力でかみ砕き破壊しやすくなることから、本容器を用いることで目的魚を一層効果的に釣り上げることができる。なお、かかる材料が水分と接触し膨潤、溶解及び崩壊のいずれかを生じるまでの前記所定時間は、あまり短いとエサ取りが釣りエサを食べたりつつきやすくなり、あまり長いと目的魚が本容器をかみ砕き破壊しやすくなる効果が小さくなるので、これらを両立する範囲とされることが好ましく、通常、下限として、好ましくは１分以上であり、より好ましくは３分以上であり、最も好ましくは５分以上であり、上限として、好ましくは３０分以下であり、より好ましくは１０分以下である。
【０００９】
水変化材質本容器の場合に壁部を形成する「水分と接触し所定時間が経過後に膨潤、溶解及び崩壊のいずれかを生じる材料」としては、何ら限定されるものではなく種々の材料が用いられてよい。一例を挙げれば、「水分と接触し所定時間が経過後に膨潤を生じる材料」としては、セルロース（粉状、粒状、繊維状等のいずれも含む。）を含む材料、デンプン（粉状、粒状等のいずれも含む。）を含む材料、タンパク質を含む材料等を例示することができる。また、「水分と接触し所定時間が経過後に溶解を生じる材料」としては、食塩を含む材料、糖分（砂糖、果糖、麦芽糖等）を含む材料、アミノ酸を含む材料等を例示することができる。そして、「水分と接触し所定時間が経過後に崩壊のいずれかを生じる材料」としては、セルロース、デンプン、タンパク質、食塩、糖分、アミノ酸等が粉状又は粒状に分散した材料を例示することができる。とりわけ「水分と接触し所定時間が経過後に膨潤、溶解及び崩壊のいずれかを生じる材料」として、セルロース又はデンプンの少なくとも一方（無論、両方を含んでもよい。）を含むものであれば、水分と接触し所定時間が経過後に膨潤、溶解及び崩壊のいずれかを壁部が生じ、目的魚が興味をもって本容器をつつく等している間にも目的魚が本容器の少なくとも一部を口に入れ口（あご）の力でかみ砕き破壊しやすくなることから本容器を用いることで目的魚を一層効果的に釣り上げることができることに加え、本容器の一部又は全部が自然界（例えば、海中、湖中、河川中）において容易に分解され得るので、本容器を用いることにより環境汚染を引き起こす可能性が低い（万一、本容器の一部又は全部が自然界に放置されても、容易に分解され得ることから本容器を用いることにより環境汚染を引き起こす可能性が低い。）。
【００１０】
水変化材質本容器の場合に壁部を形成する「水分と接触し所定時間が経過後に膨潤、溶解及び崩壊のいずれかを生じる材料」が、前記目的魚が好む成分を含むものであってもよい。
このように目的魚が好む成分を含む材料によって壁部を形成することで、目的魚が生息している水中に本容器を配置したとき、壁部を形成する材料が水分と接触し膨潤、溶解又は崩壊を生じ、同時に、該材料に含まれる目的魚が好む成分も水中に拡散される。水中へ拡散された目的魚が好む成分を目的魚が嗅覚又は味覚等により感知することにより、目的魚が興味を持って本容器に集まってくるので、目的魚が本容器の少なくとも一部を口に入れかみ砕き破壊することを促し、目的魚を一層効果的に釣り上げることができる。
なお、「目的魚が好む成分」とは、目的魚の嗅覚や味覚等を刺激することで目的魚の食欲をそそる成分をいい、目的魚に応じて種々選択して用いられてよいが、例えば、目的魚が好んで捕食するエサが水中にて放出する成分を挙げることができる。目的魚が好む成分は、通常、魚釣りをする際に目的魚を近くに寄せるため水中に投じるエサ（所謂「撒き餌」である。以下、撒き餌ということがある。）に多く含まれているので、目的魚の種類等に応じ従来から用いられている撒き餌に含まれる成分を壁部を形成する材料が含有するようにしてもよい。例えば、目的魚が石鯛であればウニ由来成分（例えば、ウニ粉末）を該材料が含有するようにしたり、目的魚がメジナであればオキアミ由来成分（例えば、オキアミ粉末）を該材料が含有するようにしてもよい。
【００１１】
本容器は、前記内部空間と外部空間とを連通させる壁部に形成された連通孔を、さらに備えてなるもの（以下、「連通孔形成本容器」という。）であってもよい。
こうすることで釣りエサの少なくとも一部を収容した内部空間と、壁部により該内部空間と仕切られた外部空間と、が壁部に形成された連通孔により連通されるので、該内部空間に少なくとも一部が収容された釣りエサに接触した水が連通孔を経由して該外部空間へと流出するので、該釣りエサの成分（例えば、目的魚が嗅覚又は味覚等にて感知可能な成分）が該外部空間に漂う。このようにして該外部空間に漂う該釣りエサの成分によって、目的魚が興味を持って本容器に集まり目的魚が本容器の少なくとも一部を口に入れかみ砕き破壊することを促し、目的魚を一層効果的に釣り上げることができる。なお、連通孔は、釣り上げることを意図しないエサ取りが連通孔を通じて該内部空間に収容された釣りエサを食したりつつくことができないような大きさ及び形状にされることが好ましい。
【００１２】
連通孔形成本容器の場合、前記糸貫通孔を貫通した釣り糸により吊り下げられた場合、前記内部空間を水平方向に分割する平面である分割面に対し上方に位置する上方連通孔と、該分割面に対し下方に位置する下方連通孔と、を前記連通孔が有してなるものであってもよい。
糸貫通孔を貫通した釣り糸により本容器が吊り下げられた場合（目的魚が住む水中において本容器が吊り下げられた場合）、本容器の上方と下方とのうちいずれか一方から他方に向けて水流が生じていることが多い（即ち、上方から下方に向けて下降水流が存在するか、又は下方から上方に向けて上昇水流が存在することが多い。）。このため内部空間と外部空間とを連通させる壁部に形成された連通孔が、糸貫通孔を貫通した釣り糸により本容器が吊り下げられた該場合において、該分割面（本容器の前記内部空間を水平方向に分割する平面）に対し上方に位置する上方連通孔と、該分割面に対し下方に位置する下方連通孔と、を有していれば、本容器の上方と下方とのうちいずれか一方から他方に向けた水流によって上方連通孔と下方連通孔とのいずれか一方から他方に向けて本容器の前記内部空間内に水流が生じ前記内部空間から外部空間に水が流出する（具体的には、上方から下方に向けた下降水流により、上方連通孔を経て外部空間から内部空間へ水が進入し、下方連通孔を経て内部空間から外部空間へ水が流出する。逆に、下方から上方に向けた上昇水流により、下方連通孔を経て外部空間から内部空間へ水が進入し、上方連通孔を経て内部空間から外部空間へ水が流出する。）。これによって内部空間に少なくとも一部が収容された釣りエサに接触した水が連通孔を経由して外部空間へと流出するので、該釣りエサの成分（例えば、目的魚が嗅覚又は味覚等にて感知可能な成分）が該外部空間に漂うことから、目的魚が興味を持って本容器に集まり目的魚が本容器の少なくとも一部を口に入れかみ砕き破壊することを促し、目的魚を一層効果的に釣り上げることができる。
【００１３】
連通孔形成本容器の場合、前記糸貫通孔を貫通した釣り糸により吊り下げられた場合、前記糸貫通孔を通過する鉛直平面により分割される２の空間それぞれに連通孔が形成されるものであってもよい。
糸貫通孔を貫通した釣り糸により本容器が吊り下げられた場合（目的魚が住む水中において本容器が吊り下げられた場合）、水平方向の速度成分を有する水流（該水流の流れ方向に平行な線分を水平面へ正投影した際、その投影が点ではなく線分として示される。）が生じていることが多い。このため内部空間と外部空間とを連通させる壁部に形成された連通孔が、糸貫通孔を通過する鉛直平面により分割される２の空間それぞれに連通孔が形成されるようにすれば、該２の空間のうち一方の空間から他方の空間に向けた水流によって該２の空間のうち該一方の空間に形成される連通孔から該他方の空間に形成される連通孔に向けて本容器の前記内部空間内に水流が生じ前記内部空間から外部空間に水が流出する（具体的には、該一方の空間に形成される連通孔を経て外部空間から内部空間へ水が進入し、該他方の空間に形成される連通孔を経て内部空間から外部空間へ水が流出する。）。これによって内部空間に少なくとも一部が収容された釣りエサに接触した水が連通孔を経由して外部空間へと流出するので、該釣りエサの成分（例えば、目的魚が嗅覚又は味覚等にて感知可能な成分）が該外部空間に漂うことから、目的魚が興味を持って本容器に集まり目的魚が本容器の少なくとも一部を口に入れかみ砕き破壊することを促し、目的魚を一層効果的に釣り上げることができる。
【００１４】
本容器においては、壁部が、分割された少なくとも２の部分を有してなるもの（以下、「分割壁部本容器」という。）であってもよい。
このように壁部が、分割された少なくとも２（２、３、４、５・・・・）の部分を有してなることで、これら分割された部分を組み付ける前は、釣り針に取り付けられた釣りエサの少なくとも一部を本容器の前記内部空間となるべき位置に配置しやすいことから、分割された部分を分離した状態で該釣りエサの少なくとも一部を前記内部空間となるべき位置に配置し、その後、該分割された部分を組み付けて壁部を形成することができるので本容器の使用を便ならしめることができる。
【００１５】
分割壁部本容器の場合、前記分割された少なくとも２の部分が前記壁部を形成するよう互いに固定する固定手段が係合する固定手段係合手段を、さらに備えてなるもの（以下、「固定手段係合手段保有本容器」という。）であってもよい。
前述の通り、分割壁部本容器においては（分割された部分を組み付ける前に、釣り針に取り付けられた釣りエサの少なくとも一部を本容器の前記内部空間となるべき位置に配置した後）前記分割された少なくとも２の部分が前記壁部を形成するよう互いに固定する必要があり、そのためには前記分割された少なくとも２の部分が前記壁部を形成するよう互いに固定する固定手段を設けるようにしてもよい。かかる固定手段は、前記分割された少なくとも２の部分が前記壁部を形成するよう互いに固定することができるものであればいかなるものであってもよく何ら限定されるものではないが、一例を挙げれば、前記分割された少なくとも２の部分が前記壁部を形成するよう互いに縛着する線材を含むもの（例えば、針金、紐、ゴム紐、輪ゴム、弦巻バネ及び糸等のような線材を含むもの）や前記分割された少なくとも２の部分が前記壁部を形成するよう互いに固定する固定具（釘、ピン、ステープラー、かすがい等）といった如きである。このような固定手段のうち前記分割された少なくとも２の部分と別体のものは、前記分割された少なくとも２の部分が前記壁部を形成した後にも不意に前記壁部からずれたり脱落することが生じうる。このため固定手段が係合する固定手段係合手段を本装置が備えるようにすれば、固定手段係合手段への固定手段の係合により、固定手段の前記壁部からのずれや脱落を防止又は減少させることができる。
【００１６】
固定手段係合手段保有本容器の場合、前記固定手段が、前記分割された少なくとも２の部分を縛着する線材を含んでなり、前記固定手段係合手段が、前記分割された少なくとも２の部分のうち少なくとも一に形成され、該線材が該線材の長手方向に対して垂直方向に移動することを制限する移動制限手段を含んでなるもの（以下、「移動制限手段保有本容器」という。）であってもよい。
上記の如く、固定手段としては、前記分割された少なくとも２の部分を縛着する線材を含むものを便利に用いることができるが、前記分割された少なくとも２の部分とは別体の線材にて縛着すると、該線材が該線材の長手方向に対して垂直方向に移動することにより不意に前記壁部からずれたり脱落することが生じやすい。これを有効に防止又は減少させるため、該線材が該線材の長手方向に対して垂直方向に移動すること（即ち、線材が横方向にずれること）を制限する移動制限手段が前記分割された少なくとも２の部分のうち少なくとも一（無論、前記分割された少なくとも２の部分のうちの全部であってもよい。）に形成されると共に、前記固定手段係合手段が該移動制限手段を含むようにしてもよい。
【００１７】
移動制限手段保有本容器の場合、前記移動制限手段が、前記垂直方向に前記線材が移動する際、前記垂直方向から前記線材に当接する凹部又は凸部であってもよい。
このように線材の長手方向に対する垂直方向に線材が移動する際、前記垂直方向から前記線材に当接する凹部又は凸部として前記移動制限手段を構成すれば、該線材が該線材の長手方向に対して垂直方向に不意に移動することを簡単な構成により確実に防止又は減少させることができる。
なお、前記垂直方向から前記線材に当接する凹部又は凸部とは、該線材が該線材の長手方向に対して垂直方向に不意に移動することを所望程度に防止又は減少させるものであれば足り、該線材の全長にわたって該線材に当接可能なものである必要は必ずしもなく（無論、該線材の全長にわたって該線材に当接可能なものであってもよい。）、該線材の長手方向に沿って破線状に設けられた凹部（溝）又は凸部（凸条）であっても、該線材の長手方向に沿った一部の領域のみに設けられた凹部（溝）又は凸部（凸条）であってもよい。
【発明を実施するための最良の形態】
【００１８】
以下、本発明の実施の形態を図面を参照して説明する。しかしながら、これらによって本発明は何ら制限されるものではない。
【００１９】
図１は、一実施形態の本発明の釣りエサ用容器（本容器）１１を示す図（具体的には、図１（ａ）は本容器１１の平面図であり、図１（ｂ）は本容器１１の正面図（図１（ａ）中の矢印Ｃ方向から見たところを示している。）である。）であり、図２は、図１の断面図（具体的には、図２（ａ）は図１（ａ）のＡーＡ断面図であり、図２（ｂ）は図１（ｂ）のＢーＢ断面図である。）である。図１及び図２を参照して、本容器１１について説明する（なお、図１（ｂ）及び図２（ａ）は、図示及び理解を容易にするため、後述する第１部分２１及び第２部分４１の間に隙間を設けて図示している。）。
【００２０】
本容器１１は、第１部分２１と第２部分４１とを備えてなり、第１部分２１及び第２部分４１は互いに同一のもの（従って、形状、構造、寸法及び材質等の全てに関し同じである。）によって構成されている。このため第１部分２１と第２部分４１とを構成するものは、単一のものを区別なく用いることができるので、本容器１１の製造、管理及び流通コストを低減すると共に、本容器１１の使用を便ならしめる（なお、上記のようにここでは第１部分２１及び第２部分４１は互いに同一のものを用いているが、これに限定されるものではなく、第１部分２１及び第２部分４１は互いに異なるものであってもよい。）。
【００２１】
上述した如く互いに同一の第１部分２１及び第２部分４１は、中空の略半球状（球をその中心を含む平面（以下、「切断面」という。なお、理解を容易にするため図１（ｂ）及び図２（ａ）に切断面Ｐとして示したが、これは仮想上の平面である。）により切断した場合に生じる２の部分のうち一方が形成する一定厚みの球冠形状）をしており、第１部分２１及び第２部分４１の切り口を切断面Ｐにて互いに合わせることで中空の略球状（ここでは上下方向にややつぶれた球状）を形成することができる。
前記球の前記中心から切断面Ｐに対して垂直な仮想上の直線Ｌ（図１（ａ）及び図２（ｂ）は直線Ｌに対して垂直な方向から見たところを示しているので直線Ｌを点によって示し、図１（ｂ）及び図２（ａ）では直線Ｌを点線により示した。）を考える。
【００２２】
第１部分２１には、直線Ｌを含み互いになす角度が等しい仮想上の４の平面に沿って、細長い連通孔が形成されている（ここでは該４の平面の交線は直線Ｌであり、該４の平面のいずれの１の平面も隣接する隣の平面と角度４５度（３６０度／（４×２）＝４５度）にて交わる。具体的には、第１部分２１は、第１部分第１連通孔２５ａ、第１部分第２連通孔２５ｂ、第１部分第３連通孔２５ｃ、第１部分第４連通孔２５ｄ、第１部分第５連通孔２５ｅ、第１部分第６連通孔２５ｆ及び第１部分第７連通孔２５ｇが形成されており、さらに第１部分第７連通孔２５ｇは、直線Ｌの周りに略円形に形成された第１部分中心連通孔２５ｇ２と、第１部分中心連通孔２５ｇ２に連なるように細長く形成された第１部分側方連通孔２５ｇ１と、第１部分中心連通孔２５ｇ２に連なるよう（第１部分側方連通孔２５ｇ１とは反対方向にのびている。）に細長く形成された第１部分側方連通孔２５ｇ３と、を有してなる。詳細には、前記４の平面をそれぞれ平面イ、平面ロ、平面ハ及び平面ニと呼べば、第１部分第１連通孔２５ａと第１部分第４連通孔２５ｄとは平面イに沿って細長く形成され、第１部分第２連通孔２５ｂと第１部分第５連通孔２５ｅとは平面ロに沿って細長く形成され、第１部分第３連通孔２５ｃと第１部分第６連通孔２５ｆとは平面ニに沿って細長く形成され、そして第１部分側方連通孔２５ｇ１と第１部分中心連通孔２５ｇ２と第１部分側方連通孔２５ｇ３とが一体に連なり形成される第１部分第７連通孔２５ｇは平面ハに沿って細長く形成されている。なお、第１部分第１連通孔２５ａ、第１部分第２連通孔２５ｂ、第１部分第３連通孔２５ｃ、第１部分第４連通孔２５ｄ、第１部分第５連通孔２５ｅ及び第１部分第６連通孔２５ｆいずれも第１部分中心連通孔２５ｇ２に連なることなく、そして第１部分第１連通孔２５ａ、第１部分第２連通孔２５ｂ、第１部分第３連通孔２５ｃ、第１部分第４連通孔２５ｄ、第１部分第５連通孔２５ｅ及び第１部分第６連通孔２５ｆいずれの両端も、一端（直線Ｌに近い方）は直線Ｌを軸とする半径ｒ１の直円柱の側面に略接しかつ該両端のうちの他端（直線Ｌから遠い方）は直線Ｌを軸とする半径ｒ２の直円柱の側面に略接するようになっている（但しｒ１はｒ２よりも小さい）。そして、第１部分第７連通孔２５ｇの両端（該両端のうち一端は第１部分側方連通孔２５ｇ１の端部により形成され、該両端のうち他端は第１部分側方連通孔２５ｇ３の端部により形成されている。）はいずれも直線Ｌを軸とする半径ｒ３の直円柱の側面に略接する（但し、ｒ３はｒ１より大きくかつｒ２より小さい）。
【００２３】
同様に、第２部分４１にも、前記４の平面たる平面イ、平面ロ、平面ハ及び平面ニ（但し、平面イ、平面ロ、平面ハ及び平面ニは、第１部分２１の説明に用いた平面イ、平面ロ、平面ハ及び平面ニに同じ）に沿って、細長い連通孔が形成されている。具体的には、第２部分４１は、第２部分第１連通孔４５ａ、第２部分第２連通孔４５ｂ、第２部分第３連通孔４５ｃ、第２部分第４連通孔４５ｄ、第２部分第５連通孔４５ｅ、第２部分第６連通孔４５ｆ及び第２部分第７連通孔４５ｇが形成されており、さらに第２部分第７連通孔４５ｇは、直線Ｌの周りに略円形に形成された第２部分中心連通孔４５ｇ２と、第２部分中心連通孔４５ｇ２に連なるように細長く形成された第２部分側方連通孔４５ｇ１と、第２部分中心連通孔４５ｇ２に連なるよう（第２部分側方連通孔４５ｇ１とは反対方向にのびている。）に細長く形成された第２部分側方連通孔４５ｇ３と、を有してなる。詳細には、第２部分第１連通孔４５ａと第２部分第４連通孔４５ｄとは平面イに沿って細長く形成され、第２部分第２連通孔４５ｂと第２部分第５連通孔４５ｅとは平面ロに沿って細長く形成され、第２部分第３連通孔４５ｃと第２部分第６連通孔４５ｆとは平面ニに沿って細長く形成され、そして第２部分側方連通孔４５ｇ１と第２部分中心連通孔４５ｇ２と第２部分側方連通孔４５ｇ３とが一体に連なり形成される第２部分第７連通孔４５ｇは平面ハに沿って細長く形成されている。なお、第２部分第１連通孔４５ａ、第２部分第２連通孔４５ｂ、第２部分第３連通孔４５ｃ、第２部分第４連通孔４５ｄ、第２部分第５連通孔４５ｅ及び第２部分第６連通孔４５ｆいずれも第２部分中心連通孔４５ｇ２に連なることなく、そして第２部分第１連通孔４５ａ、第２部分第２連通孔４５ｂ、第２部分第３連通孔４５ｃ、第２部分第４連通孔４５ｄ、第２部分第５連通孔４５ｅ及び第２部分第６連通孔４５ｆいずれの両端も、一端（直線Ｌに近い方）は直線Ｌを軸とする半径ｒ１の直円柱の側面に略接しかつ該両端のうちの他端（直線Ｌから遠い方）は直線Ｌを軸とする半径ｒ２の直円柱の側面に略接するようになっている（但しｒ１及びｒ２は第１部分２１の説明に用いたｒ１及びｒ２に同じ）。そして、第２部分第７連通孔４５ｇの両端（該両端のうち一端は第２部分側方連通孔４５ｇ１の端部により形成され、該両端のうち他端は第２部分側方連通孔４５ｇ３の端部により形成されている。）はいずれも直線Ｌを軸とする半径ｒ３の直円柱の側面に略接する（但し、ｒ３は第１部分２１の説明に用いたｒ３に同じ）。
【００２４】
以上のように第１部分２１と第２部分４１とを図１及び図２に示したように切断面Ｐにて互いの切り口を合わせることで、外部空間５１と仕切られた内部空間１３（特に図２（ａ）及び図２（ｂ）を参照されたい。）を形成することができる。後で詳述するが、かかる内部空間１３には、釣り針に取り付けられた釣りエサを収容することができ（その際、該釣り針を支持する釣り糸は、主として第１部分中心連通孔２５ｇ２を経由して外部空間５１から内部空間１３へ進入する。）、第１部分第１連通孔２５ａ、第１部分第２連通孔２５ｂ、第１部分第３連通孔２５ｃ、第１部分第４連通孔２５ｄ、第１部分第５連通孔２５ｅ、第１部分第６連通孔２５ｆ、第１部分第７連通孔２５ｇ、第２部分第１連通孔４５ａ、第２部分第２連通孔４５ｂ、第２部分第３連通孔４５ｃ、第２部分第４連通孔４５ｄ、第２部分第５連通孔４５ｅ、第２部分第６連通孔４５ｆ及び第２部分第７連通孔４５ｇのいずれからも、内部空間１３に収容された該釣り針に取り付けられた該釣りエサの全部及び該釣り針の全部が外部空間５１へ脱出できないような大きさ及び形状にされている（内部空間１３に収容された該釣り針に取り付けられた該釣りエサの一部及び／又は該釣り針の一部は外部空間５１へ脱出してもよい。なお、具体的には、ここではこれらの連通孔の幅ｄは１．５〜２．０ｍｍ程度とされ、第１部分中心連通孔２５ｇ２及び第２部分中心連通孔４５ｇ２の直径ＤＣは約３．０ｍｍとされ、第１部分２１及び第２部分４１それぞれの高さＨ（切断面Ｐに対して垂直方向の寸法）は約２０ｍｍとされ、第１部分２１及び第２部分４１それぞれの直径Ｋ（切断面Ｐに対して平行方向の寸法）は約５０ｍｍとされ、第１部分２１及び第２部分４１それぞれの厚みＪは約１．５ｍｍとされている。）。
【００２５】
第１部分２１及び第２部分４１の製造方法について説明する。
まず、第１部分２１及び第２部分４１を成形するための成形材料を調製する。成形材料を調製するための原料は、（１）植物性繊維質粉体、（２）植物性結合剤粉体、（３）ウニ粉、（４）油脂含有成分、（５）着色料及び（６）水を混合撹拌することで調製する。これら（１）〜（６）のうち、（１）植物性繊維質粉体及び（２）植物性結合剤粉体は、国際公開第ＷＯ２００３／０７４２４２号パンフレット（以下、「先行国際公開公報」と言う。）に記載された植物性繊維質粉体及び植物性結合剤粉体と同様のものを使用することができ、換言すれば、上記の（１）植物性繊維質粉体と（２）植物性結合剤粉体と（６）水との混合物は先行国際公開公報における「植物性繊維質粉体と、澱粉粉体とガム質粉体との混合物である植物性結合剤粉体と、水との混合物であることを特徴とする生分解性繊維質成形材料」（先行国際公開公報の請求項１６）に該当する。従って、ここで用いた第１部分２１及び第２部分４１を成形するための成形材料は、先行国際公開公報の生分解性繊維質成形材料に（３）ウニ粉と（４）油脂含有成分と（５）着色料とを加えたものと考えることができる。
【００２６】
以上のように、上記の（１）植物性繊維質粉体及び（２）植物性結合剤粉体の詳細な説明は先行国際公開公報においてそれぞれ植物性繊維質粉体及び植物性結合剤粉体として詳しくなされているので、ここでは詳細な説明を省略するが大略次の如きである。
（１）植物性繊維質粉体としては、セルロースを含む粉体を幅広く用いることができ、例えば、先行国際公開公報の第４頁第４行〜第６行に記載されているように「植物性繊維質粉体として、木，草，葉，籾殻，米糠，果実皮，コーヒー豆抽出残渣等毒性の無いあらゆる植物性繊維質素材の粉体又はこれらの混合粉体を使用することができる」ものであり、かかる植物性繊維質素材（間伐材や木材加工所の加工残材も好適に用いることができる。）を先行国際公開公報の第１０頁第２４行〜第１６頁第６行に記載の方法により植物性繊維質粉体とすることができる（必要に応じて適宜篩いにて分級してもよい。）。そして、上記成形材料を調製する（１）植物性繊維質粉体として木粉を用いる場合であれば、松、檜又は杉等のような針葉樹や、楢等のような広葉樹を植物性繊維質素材として用いることができ、該木粉の粒径としては５０〜５００マイクロメートルの木粉を用いることができる。
（２）植物性結合剤粉体としては澱粉粉体とガム質粉体との混合物を使用することができ、この澱粉粉体としては先行国際公開公報の第４頁第１８行〜第２０行に記載されているように「小麦粉澱粉，馬鈴薯澱粉，コーンスターチ，ワキシーコーンスターチ，ハイアミロース澱粉，サゴ澱粉，タピオカ澱粉等・・・・あらゆる澱粉の粉体またはこれらの混合粉体」を使用することができる。そして、植物性結合剤粉体には先行国際公開公報に記載の通り澱粉粉体の他、ガム質粉体を含んでもよく、例えば、先行国際公開公報の第５頁第５行〜第１８行に記載されているように好ましくは「ガム質は、水溶性多糖類である。・・・・・本発明の好ましい態様においては、水溶性多糖類は、キサンタンガム，タマリンドガム，ジェランガム，カラギーナン，プルラン，グアーガム，ローカストビーンガム，タラガム，ペクチン，アルギン酸および寒天から選ばれる１種又は２種以上である。キサンタンガム，タマリンドガム，ジェランガム，カラギーナン，プルラン，グアーガム，ローカストビーンガム，タラガム，ペクチン，アルギン酸、寒天等の水溶性多糖類を使用することができる。これらは単独で使用しても良く１種又は２種以上を混合して使用しても良い。本発明の好ましい態様においては、水溶性多糖類は、キサンタンガムおよびタマリンドガムから選ばれる１種又は２種である。」ようにされてよい。
【００２７】
（３）ウニ粉は、ウニ由来の粉体を特に制限なく使用することができるが、例えば、ウニ殻（ウニのうち、食用となるウニの中身を取り出した残りの部分）を乾燥させ粉砕した粉末や、ウニ全部（上述したウニの中身とウニ殻とを含む。）を乾燥させ粉砕した粉末等を例示することができ、さらに、釣りエサ（撒き餌に配合するために多用される。）に配合するために流通しているウニ由来の粉末を用いることもできる。
（４）油脂含有成分としては油脂分を含む成分を特に制限なく使用することができ、例えば、米糠やヤシ油粉末等のような植物由来油脂含有成分と、ラード（豚脂）ヘット（牛脂）等のような動物由来油脂含有成分と、を例示できるが、好ましくは植物由来油脂含有成分である。
（５）着色料は、本容器１１（第１部分２１及び第２部分４１）が目的魚にとって警戒されるような色彩ではなく、目的魚が興味を持ったり注意を引くような色彩にするために添加されるが、例えば、目的魚が好んで捕食するエサの色（例えば、目的魚が石鯛であれば、天然ウニの赤暗色）に本容器１１（第１部分２１及び第２部分４１）の色彩が近づくような着色料の種類及び量が添加されるようにしてもよい。
【００２８】
また、ここでは本容器１１（第１部分２１及び第２部分４１）を成形するための成形材料は、ここでは（１）植物性繊維質粉体、（２）植物性結合剤粉体、（３）ウニ粉、（４）油脂含有成分、（５）着色料（赤色の食紅）及び（６）水の各成分を加え混合し調製したが、これら（１）〜（６）のいずれもが必ずしも必須の成分ではなく、これら（１）〜（６）から適宜選択したものを混合したり、さらにこれら（１）〜（６）以外のものを加えてよい。例えば、（１）植物性繊維質粉体と（２）植物性結合剤粉体と（６）水とを混合した成形材料（以下、「基本成形材料」という。）や、基本成形材料の成分に（３）ウニ粉を混合した成形材料や、基本成形材料の成分に（４）油脂含有成分を混合した成形材料や、基本成形材料の成分に（５）着色料（赤色の食紅）を混合した成形材料や、基本成形材料の成分に（３）ウニ粉と（４）油脂含有成分とを混合した成形材料や、基本成形材料の成分に（３）ウニ粉と（５）着色料（赤色の食紅）とを混合した成形材料や、基本成形材料の成分に（４）油脂含有成分と（５）着色料（赤色の食紅）とを混合した成形材料や、そしてこれらの成形材料の成分に（１）〜（６）以外の成分を加えた成形材料等を適宜用いてよい。
【００２９】
上記成形材料を調製するための配合割合は、本容器１１の大きさ、形状、厚み等や本容器１１が目的とする目的魚等に応じて適宜変更されてよく何ら制限されるものではないが、通常、（１）植物性繊維質粉体（例えば、松、檜又は杉等のような針葉樹や楢等のような広葉樹を植物性繊維質素材として用いた５０〜５００マイクロメートル粒径の木粉）：３５〜４５重量部、（２）植物性結合剤粉体：１２〜１７重量部、（３）ウニ粉（ウニ殻を乾燥させ粉砕した２００マイクロメートル以下の粒径を有する粉末）：７〜１５重量部、（４）油脂含有成分（例えば、米糠やヤシ油粉末等のような植物由来油脂含有成分）：０〜４重量部、（５）着色料（赤色の食紅）：０〜１重量部、（６）水：２５〜３２重量部、の範囲とされてもよい。
【００３０】
また、ここでは（１）植物性繊維質粉体として、具体的には、８０メッシュによる篩いを通過した北欧松の木粉：１１６０ｇと、（２）植物性結合剤粉体として、具体的には、小麦粉澱粉９１重量％、キサンタンガム３重量％及びタマリンドガム６重量％の混合物：３８０ｇと、（３）ウニ粉として、８０メッシュによる篩いを通過したウニ粉（ウニを乾燥させ粉砕した後、８０メッシュにより篩う）：２８０ｇと、（４）油脂含有成分として、具体的には、米糠：６０ｇと、（５）着色料として、赤色の食紅（食用赤色２号）：０．１ｇと、（６）水：８００ｇと、を用い、これら（１）植物性繊維質粉体、（２）植物性結合剤粉体、（３）ウニ粉、（４）油脂含有成分、（５）着色料（赤色の食紅）及び（６）水をミキサー（一般的な混合撹拌装置を用いた。）の撹拌容器に装入し約３０分間十分に撹拌し、成形材料とした。
なお、（１）植物性繊維質粉体（具体的には、８０メッシュによる篩いを通過した北欧松の木粉）の製造方法は、先行国際公開公報の第１０頁第２４行〜第１６頁第６行に記載の方法において、植物性繊維質素材として北欧松のチップを用いて得られる植物繊維質粉体を８０メッシュによる篩いで篩うことにより行われた。
また、（２）植物性結合剤粉体（具体的には、小麦粉澱粉９１重量％、キサンタンガム３重量％及びタマリンドガム６重量％の混合物）は、先行国際公開公報の「実施例４：植木鉢の製造」において用いた植物性結合剤粉体（小麦粉澱粉９１重量％，キサンタンガム３重量％およびタマリンドガム６重量％の混合物）と同じものである。
このようにやはりここで実際に調製した（１）植物性繊維質粉体、（２）植物性結合剤粉体、（３）ウニ粉、（４）油脂含有成分、（５）着色料及び（６）水を混合し調製した成形材料は、先行国際公開公報における生分解性繊維質成形材料に（３）ウニ粉、（４）油脂含有成分及び（５）着色料を添加したものである。
【００３１】
次いで、熱硬化型射出成形機を用い、前記調製した成形材料により成形を行った（第１部分２１及び第２部分４１のいずれも同じ形状及び寸法であるので１種類を成形すればよい。）。なお、射出成形の条件は、シリンダーからノズルまでの温度が約９０℃であり、成形型温度が約６０℃であった。なお、ここでは熱硬化性樹脂の射出成形機を用いて射出成形したが、これに限定されるものではなく、その他の成形方法（一例を挙げれば、熱可塑性樹脂の射出成形機を用いた射出成形、射出成形と同様の射出工程を有するインジェクションプレス成形、圧縮成型、トランスファ成形、加熱加圧成形、押出成形等の如きである。）を用いてよいことは言うまでもない。
【００３２】
本容器１１の使用方法について説明する。
図３は、本容器１１の使用方法の第１ステップを示す断面図（断面位置は図２（ａ）と同じ位置である。）である。図３を参照して、本容器１１の使用方法の第１ステップについて説明する。第１ステップでは、本容器１１を構成する第１部分２１に仕掛け１００を係合させる。ここでは仕掛け１００は、幹糸１０３（具体的にはここでは金属製のワイヤー３４番を使用している）と、幹糸１０３の基端に取り付けられた環状の連結部材１０１（具体的には、ここでは金属製のワイヤー３４番を使用している）と、幹糸１０３の先端に基端が取り付けられた第１枝糸１０５ａ（ここではアラミド繊維たるデュポン社製の商品名「ケブラー」繊維を使用した。）と、第１枝糸１０５ａの先端に取り付けられた第１釣り針１０７ａと、幹糸１０３の先端に基端が取り付けられた第２枝糸１０５ｂ（ここではアラミド繊維たるデュポン社製の商品名「ケブラー」繊維を使用した。）と、第２枝糸１０５ｂの先端に取り付けられた第２釣り針１０７ｂと、を有してなる。第１ステップでは、連結部材１０１を第１部分中心連通孔２５ｇ２を経由して第１部分２１の内部空間１３ａ側から外部空間５１側へと通過させ、仕掛け１００の連結部材１０１側が外部空間５１側に存すると共に仕掛け１００の第１釣り針１０７ａ及び第２釣り針１０７ｂ側が内部空間１３ａ側に存するようにされる（なお、幹糸１０３は、内部空間１３ａから外部空間５１へ貫通するように第１部分中心連通孔２５ｇ２に遊嵌されている。）。また、ここでは仕掛け１００は、第１枝糸１０５ａとその先端に取り付けられた第１釣り針１０７ａと、第２枝糸１０５ｂとその先端に取り付けられた第２釣り針１０７ｂと、の一対（即ち２個）の枝糸とその先端に取り付けられた釣り針とを有しているが、これに限定されるものでないことは言うまでもなく、例えば、１のみの枝糸とその先端に取り付けられた釣り針とを有する場合（所謂、１本針仕掛け）や３以上の枝糸とその先端に取り付けられた釣り針とを有する場合であってよいことは言うまでもない。
【００３３】
図４は、本容器１１の使用方法の第２ステップを示す断面図（断面位置は図３と同じ位置である。）である。図４を参照して、本容器１１の使用方法の第２ステップについて説明する。第２ステップでは、第１釣り針１０７ａに釣りエサ２０１ａを取り付けると共に、第２釣り針１０７ｂに釣りエサ２０１ｂを取り付ける。なお、ここでは釣りエサ２０１ａ、２０１ｂのいずれも赤貝のむき身を取り付けているが、これに限定されるものではなく、釣り上げることを意図する目的魚が好む釣りエサを自由に選択し取り付けることができる。一例を挙げれば、ムール貝のむき身やイソメ類（例えば、アカムシ、イワムシ、スゴカイ、オニイソメ等）等の如きである。
【００３４】
図５は、本容器１１の使用方法の第３ステップを示す断面図（断面位置は図４と同じ位置である。）である。図５を参照して、本容器１１の使用方法の第３ステップについて説明する。第３ステップでは、図４に示した第２ステップにおいて第１釣り針１０７ａ及び第２釣り針１０７ｂに取り付けられた釣りエサ２０１ａ、２０１ｂが内部空間１３に収容されるよう、第１部分２１に対して第２部分４１を配置する。第１部分２１に対し第２部分４１を配置したところを図５は示しており、第１部分２１と第２部分４１との位置関係は、上述した図１及び図２と同様である。
【００３５】
図６及び図７は、本容器１１の使用方法の第４ステップを示す図である。具体的には、図６（ａ）は本容器１１の平面図（図１（ａ）と同じ位置から見たところを示している。）であり、図６（ｂ）は本容器１１の正面図（図６（ａ）中の矢印Ｎ方向から見たところを示している。なお、図１（ｂ）と同じ位置から見たところを示している。）である。なお、図示及び理解を容易にするため、釣りエサ２０１ａ、２０１ｂを含む仕掛け１００の図示を図６では省略している。図７は、本容器１１の使用方法の第４ステップを示す断面図（断面位置は図５と同じ位置であり、図６（ａ）中にＭ−Ｍ断面として示した。）である。図６及び図７を参照して、本容器１１の使用方法の第４ステップについて説明する。
第４ステップにおいては、第３ステップにて配置した第１部分２１と第２部分４１とを縛着するための輪ゴム３０１が取り付けられている。輪ゴム３０１は、伸縮自在で柔軟なゴム材料により形成されており、第１部分２１と第２部分４１とをやや引き伸ばされた状態で周回することで、第１部分２１と第２部分４１とが不意に離れないように第１部分２１と第２部分４１とに力を加えている（輪ゴム３０１が伸長されることにより輪ゴム３０１の長手方向に生じる張力に基づく）。輪ゴム３０１は、第１部分２１が有する第１部分第７連通孔２５ｇに長手方向が沿って嵌入されると共に、第２部分４１が有する第２部分第７連通孔４５ｇに長手方向が沿って嵌入され、これら第１部分第７連通孔２５ｇ及び第２部分第７連通孔４５ｇに嵌入されていない輪ゴム３０１の部分は第１部分２１の外面と第２部分４１の外面に密接しており、第１部分２１と第２部分４１とを縛着し連結している。
【００３６】
以上のようにして、第１釣り針１０７ａ及び第２釣り針１０７ｂに取り付けられた釣りエサ２０１ａ、２０１ｂが内部空間１３に収容され、輪ゴム３０１により第１部分２１と第２部分４１とが縛着により固定された本容器１１は、図８（本容器１１については、図２（ａ）や図５と同様の断面を示している。）に示すように、図示しない釣り竿から長手方向に進退自在な元糸１５１の先端に連結具１５３を介して連結部材１０１が取り付けられることで元糸１５１の先端に取り付けられる。具体的には、連結具１５３は、通称「スクリューサルカン」等と呼ばれる金属製の連結具であり、中心環状部１５３ａと、中心環状部１５３ａに取り付けられ先端に形成された環状部分に釣り糸が係合する第１係合部１５３ｂと、中心環状部１５３ａに取り付けられ先端に形成された環状部分に釣り糸が係合する第２係合部１５３ｃと、中心環状部１５３ａに取り付けられ先端に形成された環状部分に釣り糸が係合する第３係合部１５３ｄと、を有してなる。元糸１５１の先端は第１係合部１５３ｂの環状部分に縛り付けられることで連結具１５３に取り付けられ、連結部材１０１は第３係合部１５３ｄの環状部分に取り付けられることで連結具１５３に取り付けられ、そして図示しない錘に先端が取り付けられた錘連結糸１５４の基端側が第２係合部１５３ｃに縛り付けられることで連結具１５３に取り付けられている。このように連結具１５３を介して元糸１５１の先端側と連結部材１０１と錘連結糸１５４の基端側とが互いに連結されている。なお、図８に示した連結具１５３を用いて元糸１５１と連結部材１０１と錘連結糸１５４とを連結する方法は一例にすぎず、これに限定されるものでないことは言うまでもなく、従来から用いられている様々な釣り仕掛けの方式を用いてよいことは言うまでもない。
【００３７】
そして、釣り上げることを意図する目的魚４０１が回遊している水深に本容器１１が位置するように元糸１５１を進退させ調節する。そうすると水中に生じる水流（例えば、海中であれば潮の満ち干による潮の流れ）により、本容器１１が有する第１部分第１連通孔２５ａ、第１部分第２連通孔２５ｂ、第１部分第３連通孔２５ｃ、第１部分第４連通孔２５ｄ、第１部分第５連通孔２５ｅ、第１部分第６連通孔２５ｆ、第１部分第７連通孔２５ｇ、第２部分第１連通孔４５ａ、第２部分第２連通孔４５ｂ、第２部分第３連通孔４５ｃ、第２部分第４連通孔４５ｄ、第２部分第５連通孔４５ｅ、第２部分第６連通孔４５ｆ及び第２部分第７連通孔４５ｇを経由して外部空間５１と内部空間１３との間で水が出入りする。内部空間１３から外部空間５１へ流出する水は、内部空間１３にて釣りエサ２０１ａ、２０１ｂと接触することで釣りエサ２０１ａ、２０１ｂの成分を含有するので、かかる成分を嗅覚及び／又は味覚等で感知した魚が本容器１１に集まってくる。また、上述したように、第１部分２１及び第２部分４１は（３）ウニ粉を含むので、ウニ粉からも魚が好む成分が水に溶出する。加えて、第１部分２１及び第２部分４１は（５）着色料（赤色の食紅）を含むことにより外観が赤暗色をしており外観も天然ウニに似ていることから、天然ウニと間違えて魚が集まるという効果もある。
なお、第１部分第１連通孔２５ａ、第１部分第２連通孔２５ｂ、第１部分第３連通孔２５ｃ、第１部分第４連通孔２５ｄ、第１部分第５連通孔２５ｅ、第１部分第６連通孔２５ｆ、第１部分第７連通孔２５ｇ、第２部分第１連通孔４５ａ、第２部分第２連通孔４５ｂ、第２部分第３連通孔４５ｃ、第２部分第４連通孔４５ｄ、第２部分第５連通孔４５ｅ、第２部分第６連通孔４５ｆ及び第２部分第７連通孔４５ｇのいずれからも、内部空間１３に収容された釣り針（第１釣り針１０７ａ又は第２釣り針１０７ｂ）に取り付けられた釣りエサ２０１ａ、２０１ｂの全部及び釣り針（第１釣り針１０７ａ又は第２釣り針１０７ｂ）の全部が外部空間５１へ脱出できない（即ち、内部空間１３に収容された釣り針（第１釣り針１０７ａ又は第２釣り針１０７ｂ）に取り付けられた釣りエサ２０１ａ、２０１ｂの一部及び／又は釣り針（第１釣り針１０７ａ又は第２釣り針１０７ｂ）の一部は、第１部分第１連通孔２５ａ、第１部分第２連通孔２５ｂ、第１部分第３連通孔２５ｃ、第１部分第４連通孔２５ｄ、第１部分第５連通孔２５ｅ、第１部分第６連通孔２５ｆ、第１部分第７連通孔２５ｇ、第２部分第１連通孔４５ａ、第２部分第２連通孔４５ｂ、第２部分第３連通孔４５ｃ、第２部分第４連通孔４５ｄ、第２部分第５連通孔４５ｅ、第２部分第６連通孔４５ｆ及び第２部分第７連通孔４５ｇのいずれかから外部空間５１へ脱出してもよい。）。
【００３８】
このようにして本容器１１の周囲には魚が好む成分が存在するので、種々の魚が集まってくる。このように集まってくる魚には目的魚４０１の他、目的魚４０１よりも口が小さく釣り上げることを意図しない魚（エサ取り）４０３も通常含まれている。しかしながら、目的魚４０１よりも口の大きさ（最大に開いたときの縦の長さＭＬにより比較する。）が小さいエサ取り４０３は、本容器１１の少なくとも一部を口に入れることができず、かみ砕き破壊することができないため、内部空間１３に収容された釣りエサ２０１ａ、２０１ｂを食べたりつつくことができない。一方、目的魚４０１は、本容器１１の少なくとも一部を口に入れることができ、口（あご）の力でかみ砕き破壊することができるので、本容器１１の少なくとも一部を破壊した後、図８に示すように目的魚４０１は内部空間１３に収容された釣りエサ２０１ａ、２０１ｂを食べることができる（釣りエサ２０１ａ、２０１ｂを食べれば、これらが取り付けられた第１釣り針１０７ａ又は第２釣り針１０７ｂに目的魚４０１が引っかかり釣り上げられる。）。以上のように、本容器１１を用いれば、釣り針（第１釣り針１０７ａ及び第２釣り針１０７ｂ）に取り付けた釣りエサ２０１ａ、２０１ｂを目的魚４０１が食すまでエサ取り４０３が釣りエサ２０１ａ、２０１ｂを食したりつつくことを防止又は減少させることにより、目的魚４０１を効果的に釣り上げることができる。なお、目的魚４０１の口が最大に開いたときの縦の長さＭＬに応じて本容器１１の大きさや形状を変化させることで種々の魚種や大きさの目的魚４０１に本容器１１は対応することができるが、上述した本容器１１の大きさや形状であれば、目的魚４０１の口が最大に開いたときの縦の長さＭＬは、下限として、好ましくは１０ｍｍ以上であり、より好ましくは２０ｍｍ以上であり、上限は特にないが、通常、好ましくは１００ｍｍ以下であり、より好ましくは８０ｍｍ以下であり、最も好ましくは６０ｍｍ以下である。なお、ここにいう魚の口の縦の最大長さＭＬとは、該魚が口を開け閉めする際に互いに距離が変化する一方の顎４０１ａと他方の顎４０１ｂとの間の距離（なお、顎４０１ａ、４０１ｂは図８を参照されたい。）のうち、該魚が自ら最も口を大きく開けたときの一方の顎４０１ａと他方の顎４０１ｂとの間の最大の距離をいう。
【００３９】
また、上述したように、第１部分２１及び第２部分４１は、水分と接触し所定時間が経過後に膨潤又は一部が溶解する上記（１）植物性繊維質粉体、（２）植物性結合剤粉体、（３）ウニ粉、（４）油脂含有成分を含むことから、水分と接触してからの時間経過に伴って次第に柔らかく崩壊しやすくなるので、目的魚４０１が興味をもって本容器１１をつつく等している間にも目的魚４０１が本容器１１の少なくとも一部を口に入れ口（あご）の力でかみ砕き破壊しやすくなることから、本容器１１を用いることで目的魚４０１を効果的に釣り上げることができる。
【００４０】
以上のように本容器１１は、釣り針（第１釣り針１０７ａ及び第２釣り針１０７ｂ）に取り付けられた釣りエサ２０１ａ、２０１ｂの少なくとも一部（ここでは全部）を内部空間１３に収容する保護容器であって、該内部空間１３と外部空間５１と仕切る壁部（第１部分２１と第２部分４１とによって構成される。）と、該釣り針（第１釣り針１０７ａ及び第２釣り針１０７ｂ）を支持する釣り糸（ここでは幹糸１０３、第１枝糸１０５ａ、第２枝糸１０５ｂが構成する。）を貫通させる壁部（第１部分２１と第２部分４１とによって構成される。）に形成された糸貫通孔たる第１部分中心連通孔２５ｇ２と、を備えてなり、該壁部（第１部分２１と第２部分４１とによって構成される。）は、釣り上げることを意図する目的魚４０１が破壊可能である、釣りエサ用容器である。ここでは壁部（第１部分２１と第２部分４１とによって構成される。）の少なくとも一部が目的魚４０１の口に入り、目的魚４０１が口の力で壁部（第１部分２１と第２部分４１とによって構成される。）の少なくとも一部をかみ砕き破壊することが可能であると共に、目的魚４０１よりも口の大きさ（最大に開いたときの縦の長さＭＬにより比較する）が小さいエサ取り４０３が壁部（第１部分２１と第２部分４１とによって構成される。）の少なくとも一部を口に入れることができないので、本発明にいう「壁部は、釣り上げることを意図する目的魚が破壊可能」である。
【００４１】
そして本容器１１においては、前記壁部（第１部分２１と第２部分４１とによって構成される。）が、水分と接触し所定時間が経過後に膨潤、溶解及び崩壊のいずれかを生じる材料（ここでは水分と接触し所定時間が経過後に膨潤又は一部が溶解する上記（１）植物性繊維質粉体、（２）植物性結合剤粉体、（３）ウニ粉、（４）油脂含有成分を含む材料）により形成されるものである。
なお、前記材料が、セルロース又はデンプンの少なくとも一方を含むもの（ここでは（１）植物性繊維質粉体の北欧松木粉はセルロースを含み、（２）植物性結合剤粉体は小麦粉澱粉を含むので、前記材料はセルロース及びデンプンの両方を含む。）である。
また、前記材料が前記目的魚４０１（ここでは石鯛）が好む成分である（３）ウニ粉を含むものである。
【００４２】
本容器１１においては、前記内部空間１３と外部空間５１とを連通させる壁部（第１部分２１と第２部分４１とによって構成される。）に形成された連通孔（第１部分第１連通孔２５ａ、第１部分第２連通孔２５ｂ、第１部分第３連通孔２５ｃ、第１部分第４連通孔２５ｄ、第１部分第５連通孔２５ｅ、第１部分第６連通孔２５ｆ、第１部分第７連通孔２５ｇ（主として第１部分側方連通孔２５ｇ１と第１部分側方連通孔２５ｇ３）、第２部分第１連通孔４５ａ、第２部分第２連通孔４５ｂ、第２部分第３連通孔４５ｃ、第２部分第４連通孔４５ｄ、第２部分第５連通孔４５ｅ、第２部分第６連通孔４５ｆ及び第２部分第７連通孔４５ｇ）を、さらに備えてなるものである。
前記糸貫通孔たる第１部分中心連通孔２５ｇ２を貫通した釣り糸（ここでは幹糸１０３、第１枝糸１０５ａ、第２枝糸１０５ｂが構成する。）により本容器１１が吊り下げられた場合、前記内部空間１３を水平方向に分割する平面である分割面（例えば、切断面Ｐもその一である。）に対し上方（上方とは、直線Ｌが通過する第１部分中心連通孔２５ｇ２と第２部分中心連通孔４５ｇ２とのうち第１部分中心連通孔２５ｇ２に向かう方向をいう。）に位置する上方連通孔（第１部分第１連通孔２５ａ、第１部分第２連通孔２５ｂ、第１部分第３連通孔２５ｃ、第１部分第４連通孔２５ｄ、第１部分第５連通孔２５ｅ、第１部分第６連通孔２５ｆ、第１部分第７連通孔２５ｇ（主として第１部分側方連通孔２５ｇ１と第１部分側方連通孔２５ｇ３））と、該分割面（例えば、切断面Ｐもその一である。）に対し下方（下方とは、上述の「上方」とは反対方向であり、直線Ｌが通過する第１部分中心連通孔２５ｇ２と第２部分中心連通孔４５ｇ２とのうち第２部分中心連通孔４５ｇ２に向かう方向をいう。）に位置する下方連通孔（第２部分第１連通孔４５ａ、第２部分第２連通孔４５ｂ、第２部分第３連通孔４５ｃ、第２部分第４連通孔４５ｄ、第２部分第５連通孔４５ｅ、第２部分第６連通孔４５ｆ及び第２部分第７連通孔４５ｇ）と、を前記連通孔が有してなるものである。
前記糸貫通孔たる第１部分中心連通孔２５ｇ２を貫通した釣り糸（ここでは幹糸１０３、第１枝糸１０５ａ、第２枝糸１０５ｂが構成する。）により本容器１１が吊り下げられた場合、前記糸貫通孔たる第１部分中心連通孔２５ｇ２を通過する鉛直平面（例えば、ＡーＡ断面が含まれる平面もその一である。）により分割される２の空間それぞれに連通孔（例えば、ＡーＡ断面が含まれる平面を該鉛直平面とすれば、該２の空間のうち一方の空間には第１部分第１連通孔２５ａ、第１部分第２連通孔２５ｂ、第１部分第６連通孔２５ｆ、第２部分第１連通孔４５ａ、第２部分第２連通孔４５ｂ及び第２部分第６連通孔４５ｆとが形成され、該２の空間のうち他方の空間には第１部分第３連通孔２５ｃ、第１部分第４連通孔２５ｄ、第１部分第５連通孔２５ｅ、第２部分第３連通孔４５ｃ、第２部分第４連通孔４５ｄ及び第２部分第５連通孔４５ｅとが形成されている。）が形成されるものである。
【００４３】
本容器１１においては、前記壁部（第１部分２１と第２部分４１とによって構成される。）が、分割された少なくとも２の部分（ここでは第１部分２１及び第２部分４１の２の部分）を有してなるものである。
前記分割された少なくとも２の部分（ここでは第１部分２１及び第２部分４１の２の部分）が前記壁部を形成するよう互いに固定する固定手段たる輪ゴム３０１が係合する固定手段係合手段（ここでは輪ゴム３０１がはまり込む第１部分第７連通孔２５ｇ及び第２部分第７連通孔４５ｇ）を、さらに備えてなるものである。
前記固定手段が、前記分割された少なくとも２の部分（ここでは第１部分２１及び第２部分４１の２の部分）を縛着する線材たる輪ゴム３０１を含んでなり、前記固定手段係合手段（ここでは輪ゴム３０１がはまり込む第１部分第７連通孔２５ｇ及び第２部分第７連通孔４５ｇ）が、前記分割された少なくとも２の部分（ここでは第１部分２１及び第２部分４１の２の部分）のうち少なくとも一（ここでは両方とも）に形成され、該線材たる輪ゴム３０１が該線材たる輪ゴム３０１の長手方向に対して垂直方向に移動することを制限する移動制限手段（ここでは輪ゴム３０１がはまり込む第１部分第７連通孔２５ｇ及び第２部分第７連通孔４５ｇ）を含んでなるものである。
前記移動制限手段（ここでは輪ゴム３０１がはまり込む第１部分第７連通孔２５ｇ及び第２部分第７連通孔４５ｇ）が、前記垂直方向に前記線材たる輪ゴム３０１が移動する際、前記垂直方向から前記線材に当接する凹部又は凸部（ここでは溝状の凹部）である。
【図面の簡単な説明】
【００４４】
【図１】一実施形態の本発明の釣りエサ用容器（本容器）を示す図（図１（ａ）は本容器の平面図であり、図１（ｂ）は本容器の正面図である。）である。
【図２】図１の断面図（図２（ａ）は図１（ａ）のＡーＡ断面図であり、図２（ｂ）は図１（ｂ）のＢーＢ断面図である。）である。
【図３】本容器の使用方法の第１ステップを示す断面図である。
【図４】本容器の使用方法の第２ステップを示す断面図である。
【図５】本容器の使用方法の第３ステップを示す断面図である。
【図６】本容器の使用方法の第４ステップを示す図である。
【図７】本容器の使用方法の第４ステップを示す断面図である。
【図８】本容器の使用方法の第５ステップを示す図である。
【符号の説明】
【００４５】
１１      本容器
１３      内部空間
１３ａ    第１部分の内部空間
２１      第１部分
２５ａ    第１部分第１連通孔
２５ｂ    第１部分第２連通孔
２５ｃ    第１部分第３連通孔
２５ｄ    第１部分第４連通孔
２５ｅ    第１部分第５連通孔
２５ｆ    第１部分第６連通孔
２５ｇ    第１部分第７連通孔
２５ｇ１  第１部分側方連通孔
２５ｇ２  第１部分中心連通孔
２５ｇ３  第１部分側方連通孔
４１      第２部分
４５ａ    第２部分第１連通孔
４５ｂ    第２部分第２連通孔
４５ｃ    第２部分第３連通孔
４５ｄ    第２部分第４連通孔
４５ｅ    第２部分第５連通孔
４５ｆ    第２部分第６連通孔
４５ｇ    第２部分第７連通孔
４５ｇ１  第２部分側方連通孔
４５ｇ２  第２部分中心連通孔
４５ｇ３  第２部分側方連通孔  
５１      外部空間
１００      仕掛け（魚釣り用の仕掛け）
１０１      連結部材
１０３      幹糸
１０５ａ    第１枝糸
１０５ｂ    第２枝糸
１０７ａ    第１釣り針
１０７ｂ    第２釣り針
１５１      元糸
１５３      連結具
１５３ａ    中心環状部
１５３ｂ    第１係合部
１５３ｃ    第２係合部
１５３ｄ    第３係合部
１５４      錘連結糸
２０１ａ、２０１ｂ  釣りエサ
３０１      輪ゴム
４０１      目的魚
４０１ａ、４０１ｂ  顎
４０３      釣り上げることを意図しない魚（エサ取り）
【図１】
2008154543.tif 000003
【図２】
2008154543.tif 000004
【図３】
2008154543.tif 000005
【図４】
2008154543.tif 000006
【図５】
2008154543.tif 000007
【図６】
2008154543.tif 000008
【図７】
2008154543.tif 000009
【図８】
2008154543.tif 000010